(57)【要約】【課題】径寸法が異なる光ディスクを適切に搬送できるディスク装置を提供する。【解決手段】スロットから挿入する光ディスクにより移動するリンク機構部３２のガイドアーム４１の回動状態を第１の検出スイッチ４８Ａで検出すると、光ディスクの情報処理を実施する情報処理部２４で出射光の光ディスクによる反射の有無を検出し、大径ディスクか小径ディスクかを制御回路部により判断する。情報処理に用いる情報処理部２４を利用して、所定のタイミングで光ディスクの有無を検出するので、複数のスイッチを用いることなく第１の検出スイッチ４８Ａの１つの構成で径寸法を判別でき、適切に光ディスクを搬送できる。【選択図】図１
2007134007.tif 000002
【特許請求の範囲】
【請求項１】
径寸法が異なるディスク状の記録媒体が挿排可能なスリット状の開口部を有した装置本体と、
この装置本体内に配設され前記記録媒体を回転可能に保持するターンテーブルと、
前記装置本体内に配設され前記ターンテーブルで保持された前記記録媒体へ情報を記録する記録処理および前記記録媒体に記録された情報を読み取る読取処理のうちの少なくともいずれか一方を実施する情報処理部と、
前記装置本体内に配設され前記開口部および前記ターンテーブルに保持される位置間で前記記録媒体を搬送する搬送手段と、を備え、
前記開口部から挿入される前記記録媒体により移動される前記搬送手段の移動状態を検出する検出手段と、
この検出手段で検出した前記搬送手段の移動状態および前記情報処理部から出力され前記開口部から挿入される前記記録媒体の有無に関する情報に基づいて前記開口部から挿入される前記記録媒体の径寸法を判断する制御手段と、
を具備したことを特徴としたディスク装置。
【請求項２】
請求項１に記載のディスク装置であって、
前記制御手段は、前記検出手段により前記搬送手段が所定の移動状態であることを検出したことを認識すると、前記情報処理部により前記記録媒体の有無を検出させる処理をする
ことを特徴としたディスク装置。
【請求項３】
請求項１または請求項２に記載のディスク装置であって、
前記搬送装置は、先端側が前記開口部の近傍に位置し前記搬送手段により搬送される前記記録媒体の搬送経路に対して交差する方向に進退可能に前記装置本体内に配設され、搬送される前記記録媒体の周縁に当接して搬送を案内するガイド部材と、
先端側が前記開口部の近傍で前記搬送経路を介して前記ガイド部材に対して反対側に位置し前記搬送経路に対して交差する方向に進退可能に前記装置本体内に配設され、前記記録媒体の周縁に当接して前記記録媒体を前記ガイド部材とにより前記開口部から前記ターンテーブルに保持される位置へ送り込む搬入部材と、
前記搬送経路に進退可能に前記装置本体内に設けられ、前記開口部から挿入される前記記録媒体の周縁に先端側が当接して前記搬送経路に対して後退し前記搬送経路に進出することにより前記記録媒体を前記開口部へ送り出す搬出部材と、を備えた
ことを特徴としたディスク装置。
【請求項４】
請求項３に記載のディスク装置であって、
前記検出手段は、前記ガイド部材の移動状態に応じてオンオフする検出スイッチを備えた
ことを特徴としたディスク装置。
【請求項５】
請求項４に記載のディスク装置であって、
前記検出スイッチは、前記ガイド部材が所定の移動状態となることによりオンオフする位置に配設された
ことを特徴としたディスク装置。
【請求項６】
請求項１ないし請求項５のいずれかに記載のディスク装置であって、
前記ターンテーブルが前記装置本体の略中央に位置する状態で、前記情報処理部が前記開口部の一端側近傍および前記ターンテーブル近傍間で移動可能に、前記ターンテーブルおよび前記情報処理部を配設する台座部と、
前記開口部の一端側近傍を回動中心として前記記録媒体が前記搬送手段で搬送される搬送経路上に進退可能に前記台座部を回動させる駆動部と、を具備し、
前記制御手段は、前記開口部からの前記記録媒体の挿入待機状態で前記情報処理部を前記開口部の一端側近傍に位置させる制御をする
ことを特徴としたディスク装置。
【請求項７】
請求項６に記載のディスク装置であって、
前記ガイド部材は、前記情報処理部が前記開口部の一端側近傍に位置する際に先端側が小径の前記記録媒体の搬送経路から後退する位置で、中間部が前記情報処理部より前記搬送経路側に迂回する状態に屈曲形成された
ことを特徴としたディスク装置。
【請求項８】
請求項３ないし請求項７のいずれかに記載のディスク装置であって、
前記搬出部材が前記開口部からの前記記録媒体の挿入により所定の移動状態となったことを検知する検知手段を具備し、
前記制御手段は、検出手段で検出した前記ガイド部材の移動状態、前記情報処理部から出力される前記記録媒体の有無に関する情報、および、前記検知手段で検出した前記搬出部材の移動状況に基づいて、前記記録媒体の径寸法を判断する
ことを特徴としたディスク装置。
【請求項９】
請求項１ないし請求項８のいずれかに記載のディスク装置であって、
前記情報処理部は、光ピックアップを有し、
前記搬送装置は、前記光ピックアップの光により前記記録処理および前記読取処理のうちの少なくともいずれか一方が実施される前記記録媒体を搬送する
ことを特徴としたディスク装置。
【発明の詳細な説明】
【技術分野】
【０００１】
本発明は、径寸法が異なるディスク状の記録媒体が挿排可能な開口部と記録媒体を回転可能に保持するターンテーブルとの間で記録媒体を搬送するディスク装置に関する。
【背景技術】
【０００２】
従来、異なる径寸法のディスク状の記録媒体に記録された情報を読み取り可能な構成において、この情報を読み取る記録媒体の径寸法を判別する構成が知られている（例えば、特許文献１参照）。
【０００３】
この特許文献１に記載のものは、スピンドルサーボ回路のアンプのゲインを１２ｃｍＣＤ（Compact Disc）が回転可能なゲインに設定して、サーボオンとする。さらに、ＣＤをディスク径によらず同一回転数で定常回転させて、サブコード同期信号を検出するとサーボオフとするとともに、加速パルスでスピンドルモータの加速を開始させる。そして、タイマをスタートさせて、次のサブコード同期信号を検出するとタイマをストップさせ、再びサーボオンとする。この後、タイマ値が基準時間よりも長いときには、ＣＤが１２ｃｍＣＤであると判別して、アンプのゲインを１２ｃｍＣＤ用のゲインに設定する。一方、タイマ値が基準時間よりも短いときには、ＣＤが８ｃｍＣＤであると判別して、８ｃｍＣＤ用のゲインに設定する。
【０００４】
【特許文献１】特開平９−１２８８７７号公報（第３頁左欄−第６頁左欄）
【発明の開示】
【発明が解決しようとする課題】
【０００５】
しかしながら、上述したような特許文献１のような構成では、既にターンテーブルに保持されたＣＤの径寸法を判別するため、ＣＤが挿入された時点では径寸法が判別できず、挿入されたＣＤが適切に保持されずに搬送経路から逸脱し、ターンテーブルまで適切に搬送できなくなるおそれがあるという問題点が一例として挙げられる。
【０００６】
本発明は、このような実情などに鑑みて、径寸法が異なるディスク状の記録媒体が適切に搬送されるディスク装置を提供することを１つの目的とする。
【課題を解決するための手段】
【０００７】
請求項１に記載の発明は、径寸法が異なるディスク状の記録媒体が挿排可能なスリット状の開口部を有した装置本体と、この装置本体内に配設され前記記録媒体を回転可能に保持するターンテーブルと、前記装置本体内に配設され前記ターンテーブルで保持された前記記録媒体へ情報を記録する記録処理および前記記録媒体に記録された情報を読み取る読取処理のうちの少なくともいずれか一方を実施する情報処理部と、前記装置本体内に配設され前記開口部および前記ターンテーブルに保持される位置間で前記記録媒体を搬送する搬送手段と、を備え、前記開口部から挿入される前記記録媒体により移動される前記搬送手段の移動状態を検出する検出手段と、この検出手段で検出した前記搬送手段の移動状態および前記情報処理部から出力され前記開口部から挿入される前記記録媒体の有無に関する情報に基づいて前記開口部から挿入される前記記録媒体の径寸法を判断する制御手段と、を具備したことを特徴としたディスク装置である。
【発明を実施するための最良の形態】
【０００８】
以下、本発明の一実施の形態を図面に基づいて説明する。図１は、本発明の一実施の形態に係るディスク装置の内部の概略で光ディスクが挿入される前の待機状態を示す平面図である。
【０００９】
〔ディスク装置の構成〕
図１において、１００は、本発明の一実施の形態に係るディスク装置であり、このディスク装置１００は、着脱可能に装着されるディスク状の記録媒体としての光ディスク１における少なくとも一面に設けられた図示しない記録面に記録された情報を読み取る情報処理である読取処理や記録面へ各種情報を記録する情報処理である記録処理をする。このディスク装置１００は、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよい。また、このディスク装置１００は、光ディスク１として、直径１２ｃｍの大径ディスク１Ａ（図２ないし図５参照）と、直径８ｃｍの小径ディスク１Ｂ（図６ないし図１０参照）とを収納することができる。なお、ディスク状の記録媒体としては、光ディスク１に限らず、磁気ディスク、光磁気ディスクなどのいずれのディスク状記録媒体を対象とすることができる。
【００１０】
そして、ディスク装置１００は、例えば金属製で内部空間を有する略箱形状の装置本体１０を備えて構成されている。なお、この装置本体１０において、図１中の装置本体１０の下側を正面１０Ａ、図１中の装置本体１０の左側壁を左壁１０Ｂ、図１中の装置本体１０の右側壁を右壁１０Ｃ、装置本体１０の正面１０Ａの反対側を背面１０Ｄと適宜称する。
【００１１】
装置本体１０の内部には、いわゆるトラバースメカと称されるディスク処理部２０と、光ディスク１を搬送する搬送装置としても機能する搬送手段３０と、駆動制御部としての図示しない制御回路部とが設けられている。そして、装置本体１０の正面１０Ａには、光ディスク１を挿入排出するための開口部としての挿排口である図示しないスロットが図１中左右方向に延びたスリット状に形成されている。
【００１２】
ディスク処理部２０は、例えば金属板にて略板状に形成され一端が揺動自在に装置本体１０に支持された台座部２１を有している。この台座部２１は、スロットの長手方向の一端側となる装置本体１０の左壁１０Ｂの正面１０Ａ側から、中心位置に向かって長手枠状に形成されている。また、台座部２１には、長手方向に沿って、長手状の処理開口部２１Ａが略中央に切欠形成されている。そして、台座部２１の処理開口部２１Ａの一端側、すなわち装置本体１０の略中心位置に、ディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に制御可能に接続され、制御回路部から供給される電力により駆動する。ターンテーブル２３は、装置本体１０の内部の略中心部に設けられるとともに光ディスク１を回転駆動する回転駆動部である。
【００１３】
また、台座部２１には、情報処理部２４が配設されている。この情報処理部２４は、一対の図示しないガイドシャフト間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有する光ピックアップを備えている。
【００１４】
搬送手段３０は、装置本体１０に配設された、例えば制御回路部に動作制御される搬送モータ３１と、この搬送モータ３１の駆動により連動する搬送手段としてのリンク機構部３２とを備えている。
【００１５】
リンク機構部３２は、装置本体１０の内部であってスロットの左壁１０Ｂ側に設けられたガイドアーム４１と、装置本体１０の内部であってスロットの右壁１０Ｃ側に設けられた搬入部材としてのロードアーム４２と、ターンテーブル２３に配置された光ディスク１を排出する搬出部材としても機能するイジェクトアーム４３と、台座部２１を揺動させる図示しないカムと、などを備えている。
【００１６】
リンク機構部３２の台座部２１を揺動させる図示しないカムは、係合溝（図示せず）が形成されており、これらの係合溝が台座部２１の２つの側面に形成されたカム突起（図示せず）にそれぞれ係合されている。カムは、図示しないモータおよび歯車機構によりスライド移動され、台座部２１をターンテーブル２３に装着された光ディスク１の記録面側に近接離隔、すなわち搬送経路上に進退するように揺動する。
【００１７】
ガイドアーム４１は、ディスク挿排方向に長手状に形成される細長板状部材である。このガイドアーム４１は、一端部に光ディスク１の周縁部に当接するローラ状の当接部４１１が設けられ、一端側がスロットの近傍に位置し光ディスク１の搬送経路に進退可能、すなわち左壁１０Ｂから右壁１０Ｃ側へ回動可能に他端部が装置本体１０に回動自在に支持されている。このガイドアーム４１は、図示しないコイルバネなどの付勢手段により、常時図１に示すような光ディスク１の搬送経路に進出する状態で、かつ光ディスク１が挿入されることにより、光ディスク１の周縁に当接部４１１が当接し、一端側である先端側が左壁１０Ｂ側へ付勢手段の付勢に抗して回動可能となっている（図２参照）。
【００１８】
また、ガイドアーム４１の他端側である基端部には、回動中心を中心とした円弧を有する扇型のガイド検出カム４１２が一体的に設けられている。そして、ガイド検出カム４１２は、ガイドアーム４１の先端側が左壁１０Ｂ側へ所定角度で回動させると、装置本体１０に配設された第１の検出スイッチ４８Ａがオン状態からオフ状態に切り替えられるように設計されている（図４および図８参照）。具体的には、大径ディスク１Ａが挿入される状態では第１の検出スイッチ４８Ａがオン状態からオフ状態に切り替えられ、小径ディスク１Ｂがスロットの略中央を小径ディスク１Ｂの中心が略通過する状態で挿入される場合では第１の検出スイッチ４８Ａがオン状態を維持する状態に設計されている。
【００１９】
ロードアーム４２は、ガイドアーム４１と同様に細長板状で、直線状に形成されている。このロードアーム４２もガイドアーム４１と同様に、一端部に光ディスク１の周縁部に当接するローラ状の当接部４１１が設けられ、一端側がスロットの近傍に位置し光ディスク１の搬送経路に進退可能、すなわち右壁１０Ｃから左壁１０Ｂ側へ回動可能に他端部が装置本体１０に回動自在に支持されている。また、ロードアーム４２の中間部には、長手方向に沿って係合スリット４２１が設けられている。
【００２０】
そして、ロードアーム４２には、リンクアーム４２２が連結されている。このリンクアーム４２２は、細長板状で、一端にロードアーム４２の係合スリット４２１に摺動可能に係合する係合ピン４２２Ａが設けられ、他端側が回動可能に装置本体１０に軸支されている。さらに、リンクアーム４２２には、搬送モータ３１の駆動により、複数の歯車３１Ａを介して駆動が伝達され、スロット側および背面１０Ｄ側となる前後方向に沿って直線移動する駆動カム４２３が係合されている。この駆動カム４２３は、歯車３１Ａに噛み合うラック４２３Ａを有し、搬送モータ３１の駆動により直線移動することで、リンクアーム４２２を回動させる。このリンクアーム４２２の所定の回動により、ロードアーム４２は、先端側が光ディスク１の搬送経路に進出する状態に回動される。
【００２１】
イジェクトアーム４３は、細長板状で他の部位と干渉しないように幅方向に適宜屈曲して形成されている。イジェクトアーム４３は、一端部に光ディスク１の周縁部に当接するローラ状の当接部４１１が設けられている。そして、イジェクトアーム４３は、一端側が小径の光ディスク１をスロットから一部が露出する状態に押し出す図１に示すような位置から、ターンテーブルに保持された大径の光ディスク１の周縁から当接部４１１が離間する状態の位置まで回動可能に装置本体１０に軸支されている。このイジェクトアーム４３は、図示しない駆動部の駆動により、光ディスク１がターンテーブル２３に保持される処理位置まで搬送された際に当接部４１１が光ディスク１から離間する状態に回動され、さらに制御回路部が光ディスク１の排出要求を認識することにより一端側である先端側が背面１０Ｄから図１に示すような位置まで回動される。
【００２２】
また、イジェクトアーム４３の他端部である基端部には、突出する先端縁が回動中心を中心とした円弧となるイジェクト検出カム４３１が一体的に設けられている。そして、イジェクト検出カム４３１は、イジェクトアーム４３が図１に示す待機状態で、装置本体１０に配設された検知手段としての第２の検出スイッチ４８Ｂがオン状態で、第２の検出スイッチ４８Ｂに隣接する検知手段としての第３の検出スイッチ４８Ｃがオフ状態となっている。また、イジェクト検出カム４３１は、小径ディスク１Ｂがターンテーブル２３に保持される状態では第２の検出スイッチ４８Ｂがオフ状態で第３の検出スイッチ４８Ｃがオン状態となり、大径ディスク１Ａがターンテーブル２３に保持される状態では第２の検出スイッチ４８Ｂおよび第３の検出スイッチ４８Ｃがオフ状態となるように設計されている。より具体的には、大径ディスク１Ａが挿入されて直径の位置がガイドアーム４１の当接部４１１とロードアーム４２の当接部４１１との間を通過した後に、ロードアーム４２の送り込みのための回動時に大径ディスク１Ａがターンテーブル２３側へ送り込まれる状態に、第２の検出スイッチ４８Ｂがオフ状態となるとともに第３の検出スイッチ４８Ｃがオン状態となるように設計されている。
【００２３】
一方、リンクアーム４２２を介して光ディスク１をターンテーブル２３に保持される位置に送り込むためにロードアーム４２を回動させる駆動カム４２３には、移動方向の一側に向けて突出する段差部４２３Ｂが設けられている。この段差部４２３Ｂは、制御回路部がスロットから挿入された光ディスク１が大径ディスク１Ａであると判断した場合、ロードアーム４２が大径ディスク１Ａをターンテーブル２３に保持される位置に搬入する状態に回動させる位置に駆動カム４２３が移動した時点で、装置本体１０に配設された第４の検出スイッチ４８Ｄがオフ状態からオン状態に切り替える。また、段差部４２３Ｂは、制御回路部がスロットから挿入された光ディスク１が小径ディスク１Ｂであると判断した場合、ロードアーム４２が大径ディスク１Ａをターンテーブル２３に保持される位置に搬入する状態に回動させる位置に駆動カム４２３が移動した時点で、装置本体１０に配設された第４の検出スイッチ４８Ｄおよび第４の検出スイッチ４８Ｄより背面１０Ｄ側に配設された第５の検出スイッチ４８Ｅの双方がオン状態に切り替わる状態に設計されている。
【００２４】
なお、制御回路部がターンテーブル２３を搬送経路上に進出させて光ディスク１を保持する状態に台座部２１を揺動させた後に、制御回路部は駆動カム４２３を正面１０Ａ側に適宜移動させる処理をする。具体的には、小径ディスク１Ｂの場合は第４の検出スイッチ４８Ｄがオン状態からオフ状態に切り替わる位置、大径ディスク１Ａの場合は、第５の検出スイッチ４８Ｅがオン状態からオフ状態に切り替わる位置まで、搬送モータ３１を駆動させて駆動カム４２３を正面１０Ａ側へ若干移動させる。このことにより、ガイドアーム４１、ロードアーム４２およびイジェクトアーム４３の各当接部４１１が光ディスク１の周縁から離間される。
【００２５】
〔ディスク装置の動作〕
次に、上記ディスク装置１００の動作について、図２ないし図１２に基づいて説明する。図２は、大径ディスクの半分程度が挿入された状態におけるディスク装置の装置本体の内部を示す平面図である。図３は、大径ディスクの送り込みを開始する直前の状態におけるディスク装置の装置本体の内部を示す平面図である。図４は、大径ディスクをターンテーブルに保持する位置へのディスク搬入完了時におけるディスク装置の装置本体の内部を示す平面図である。図５は、大径ディスクのクランプ状態時におけるディスク装置の装置本体の内部を示す平面図である。図６は、大径ディスクが挿入された場合における各検出スイッチのオンオフ状態を示すタイミングチャートである。図７は、小径ディスクの半分程度が挿入された状態におけるディスク装置の装置本体の内部を示す平面図である。図８は、小径ディスクの送り込みを開始する直前の状態におけるディスク装置の装置本体の内部を示す平面図である。図９は、小径ディスクをターンテーブルに保持する位置へのディスク搬入完了時におけるディスク装置の装置本体の内部を示す平面図である。図１０は、小径ディスクのクランプ状態時におけるディスク装置の装置本体の内部を示す平面図である。図１１は、小径ディスクが偏って挿入された状態におけるディスク装置の装置本体の内部を示す平面図である。図１２は、小径ディスクが挿入された場合における各検出スイッチのオンオフ状態を示すタイミングチャートである。なお、図２ないし図５および図７ないし図１１は、説明の都合上、搬送モータおよび歯車を省略して示す。また、図６および図１２は、オン状態となることをハイレベルを意味する「Ｈ」、オフ状態となることローレベルを意味する「Ｌ」で示す。
【００２６】
（大径ディスクの検出）
図１に示すような初期待機状態のディスク装置１００に挿入されたディスク径が１２ｃｍである大径ディスク１Ａを搬入するディスク装置の動作を説明する。この図１に示す初期待機状態では、ガイドアーム４１およびロードアーム４２の先端部が光ディスク１の搬送経路上に進出するとともに、イジェクトアーム４３の先端が最もスロット側に回動した状態である。さらには、情報処理部２４が台座部２１の揺動基端側となるスロットに近接する待機位置にある。なお、ディスク装置１００に電力が投入された際、制御回路部は情報処理部２４を待機位置に移動させる処理をし、電力の投入時に待機位置に情報処理部２４が位置しなくても、初期状態では待機位置に移動されることとなる。これらの状態では、第１の検出スイッチ４８Ａおよび第２の検出スイッチ４８Ｂがオン状態で、かつ第３の検出スイッチ４８Ｃ、第４の検出スイッチ４８Ｄおよび第５の検出スイッチ４８Ｅがオフ状態となっている。
【００２７】
そして、この図１に示す初期待機状態のディスク装置１００のスロットから大径ディスク１Ａを挿入すると、この大径ディスク１Ａの周縁部がガイドアーム４１およびロードアーム４２の当接部４１１に当接し、ガイドアーム４１の先端側を左壁１０Ｂ側へ、ロードアーム４２の先端側を右壁１０Ｃ側に押して回動させる。このガイドアーム４１の回動により、図６に示すように、先ず第１の検出スイッチ４８Ａがオン状態である「Ｈ」からオフ状態の「Ｌ」に切り替わる。この切り替わり状態を制御回路部が認識すると、制御回路部は情報処理部２４を動作制御し、図示しない光源からピックアップレンズ２４Ａを介して光を出射させ、光ディスク１による出射光の反射を検出する。そして、大径ディスク１Ａが挿入されている場合、情報処理部２４のピックアップレンズ２４Ａに対向する状態で大径ディスク１Ａが位置することから、情報処理部２４の光センサにて出射光の反射を検出することとなる。このことにより、挿入された光ディスク１は大径ディスク１Ａまたは小径ディスク１Ｂが偏って挿入されたことを制御回路部が認識することとなる。なお、ガイドアーム４１が大径ディスク１Ａおよび情報処理部２４間を通過する際に一時的に出射光の検出ができなくなるが、図２に示すように、その前後で既に出射光を検出しているので、確実に制御回路部は、大径ディスク１Ａであることを認識できる。
【００２８】
この後、さらに大径ディスク１Ａが挿入されると、大径ディスク１Ａがイジェクトアーム４３の当接部４１１に当接して３点支持される状態となる。さらに大径ディスク１Ａが挿入されると、図６に示すように、イジェクトアーム４３のイジェクト検出カム４３１により第２の検出スイッチ４８Ｂがオン状態の「Ｈ」が維持されつつ第３の検出スイッチ４８Ｃがオフ状態の「Ｌ」からオン状態の「Ｈ」に切り替わる。この状態で、制御回路部は大径ディスク１Ａが挿入されたと判断するとともに、大径ディスク１Ａが図３に示すような直径の位置がガイドアーム４１およびロードアーム４２の当接部４１１間を通過して挿入されたと判断し、ローディング処理を開始する。すなわち、制御回路部は、搬送モータ３１を駆動させ、駆動カム４２３を背面１０Ｄ側へ移動させる。この駆動カム４２３の移動により、リンクアーム４２２が回動してロードアーム４２を先端側が搬送経路へ進出する状態に回動させる。このロードアーム４２の回動により、大径ディスク１Ａは３点支持されつつ装置本体１０内に送り込まれる。
【００２９】
そして、駆動カム４２３が移動して段差部４２３Ｂにより第４の検出スイッチ４８Ｄがオフ状態の「Ｌ」からオン状態の「Ｈ」に切り替わると、制御回路部は図４に示すような大径ディスク１Ａがターンテーブル２３に保持される位置まで搬送されたと判断し、搬送モータ３１の駆動を停止する。さらに、制御回路部は、ターンテーブル２３が搬送経路上に進出する状態に台座部２１を揺動させて大径ディスク１Ａをターンテーブル２３に保持、すなわちクランプさせる。この後、制御回路部は、大径ディスク１Ａを回転させつつ情報処理部２４により大径ディスク１Ａに記録された情報を読み取る読取処理や大径ディスク１Ａに情報を記録する記録処理などの情報処理のために、図５に示すようなガイドアーム４１、ロードアーム４２およびイジェクトアーム４３の各当接部４１１を大径ディスク１Ａから離間させる状態に、駆動カム４２３を正面１０Ａへ移動させ、そして、第４の検出スイッチ４８Ｄがオン状態の「Ｈ」からオフ状態の「Ｌ」に切り替わったことを認識すると、情報処理可能な状態と認識し、情報処理を実施する。
【００３０】
（小径ディスクの検出）
次に、図１に示すような初期状態のディスク装置１００に挿入されたディスク径が８ｃｍである小径ディスク１Ｂを搬入するディスク装置の動作を説明する。この図１に示す初期待機状態のディスク装置１００のスロットから小径ディスク１Ｂを挿入すると、図７に示すように、小径ディスク１Ｂの周縁部がガイドアーム４１およびロードアーム４２の各当接部４１１に当接し、ガイドアーム４１の先端側を左壁１０Ｂ側へ、ロードアーム４２の先端側を右壁１０Ｃ側に押して回動させる。このガイドアーム４１の回動は、所定角度以上回動しないので、図１２に示すように、第１の検出スイッチ４８Ａはオン状態である「Ｈ」が維持される。このため、制御回路部は情報処理部２４を動作制御して出射光の反射を検出する処理に移行しない。
【００３１】
この後、さらに小径ディスク１Ｂが挿入されると、小径ディスク１Ｂがイジェクトアーム４３の当接部４１１に当接して３点支持される状態となる。さらに小径ディスク１Ｂが挿入されると、図１２に示すように、イジェクトアーム４３のイジェクト検出カム４３１により第２の検出スイッチ４８Ｂがオン状態の「Ｈ」が維持されつつ第３の検出スイッチ４８Ｃがオフ状態の「Ｌ」からオン状態の「Ｈ」に切り替わる。この状態で、第１の検出スイッチ４８Ａがオン状態である「Ｈ」からオフ状態の「Ｌ」に切り替わっていないことから、制御回路部は小径ディスク１Ｂが挿入されたと判断するとともに、小径ディスク１Ｂが図８に示すような直径の位置がガイドアーム４１およびロードアーム４２の当接部４１１間を通過して挿入されたと判断し、ローディング処理を開始する。すなわち、制御回路部は、搬送モータ３１を駆動させ、駆動カム４２３を背面１０Ｄ側へ移動させる。この駆動カム４２３の移動により、リンクアーム４２２が回動してロードアーム４２を先端側が搬送経路へ進出する状態に回動させる。このロードアーム４２の回動により、小径ディスク１Ｂは３点支持されつつ装置本体１０内に送り込まれる。
【００３２】
そして、駆動カム４２３が移動して段差部４２３Ｂにより第５の検出スイッチ４８Ｅがオフ状態の「Ｌ」からオン状態の「Ｈ」に切り替わると、制御回路部は図９に示すような小径ディスク１Ｂがターンテーブル２３に保持される位置まで搬送されたと判断し、搬送モータ３１の駆動を停止する。さらに、制御回路部は、ターンテーブル２３が搬送経路上に進出する状態に台座部２１を揺動させて小径ディスク１Ｂをターンテーブル２３に保持、すなわちクランプさせる。この後、制御回路部は、小径ディスク１Ｂを回転させつつ情報処理部２４により小径ディスク１Ｂに記録された情報を読み取る読取処理や小径ディスク１Ｂに情報を記録する記録処理などの情報処理のために、図１０に示すようなガイドアーム４１、ロードアーム４２およびイジェクトアーム４３の各当接部４１１を小径ディスク１Ｂから離間させる状態に、駆動カム４２３を正面１０Ａへ移動させ、そして、第５の検出スイッチ４８Ｅがオン状態の「Ｈ」からオフ状態の「Ｌ」に切り替わったことを認識すると、情報処理可能な状態と認識し、情報処理を実施する。
【００３３】
ここで、小径ディスク１Ｂが、例えば図１１に示すようにスロットに偏って挿入された場合、ガイドアーム４１が所定の角度以上回動し、第１の検出スイッチ４８Ａがオン状態である「Ｈ」からオフ状態の「Ｌ」に切り替わる。この切り替わり状態を制御回路部が認識し、制御回路部は情報処理部２４を動作制御し、図示しない光源からピックアップレンズ２４Ａを介して光を出射させ、光ディスク１による出射光の反射を検出する。そして、小径ディスク１Ｂが偏って挿入されていることから、情報処理部２４の光センサにて出射光の反射を検出することとなる。このことにより、挿入された光ディスク１は大径ディスク１Ａまたは小径ディスク１Ｂが偏って挿入されたことを制御回路部が認識することとなる。
【００３４】
そして、小径ディスク１Ｂがイジェクトアーム４３の当接部４１１に当接するが、図１１に示すように、第３の検出スイッチ４８Ｃはオフ状態の「Ｌ」が維持されている。さらに小径ディスク１Ｂがスロット内に挿入されると、挿入者による把持が解除されることにより、ガイドアーム４１が図示しないコイルバネなどの付勢手段により先端側が搬送経路上に進出する方向に回動させる。この回動の際には、小径ディスク１Ｂは既に直径の位置が当接部４１１より装置本体１０内に位置することから、図８に示す状態、すなわち小径ディスク１Ｂの中心がスロットの中央である搬送経路の中央上に略位置する状態に送り込まれる。このことにより、第１検出スイッチ４８Ａは再びオン状態の「Ｈ」に切り替わることにより、制御回路部は小径ディスク１Ｂが偏って挿入されたと判断する。この後、上述したように、イジェクトアーム４３のイジェクト検出カム４３１により第２の検出スイッチ４８Ｂがオン状態の「Ｈ」が維持されつつ第３の検出スイッチ４８Ｃがオフ状態の「Ｌ」からオン状態の「Ｈ」に切り替わることにより、小径ディスク１Ｂのローディング処理が実施され、情報処理が実施される。
【００３５】
〔ディスク装置の作用効果〕
上述したように、上記一実施の形態では、スロットから挿入される光ディスク１により移動されるリンク機構部３２の移動状態を第１の検出手段で検出するとともに、情報処理部２４から出力されスロットから挿入される光ディスク１の有無に関する情報、具体的には出射光の反射の有無を検出し、スロットから挿入される光ディスク１の径寸法を判断、例えば大径ディスク１Ａか小径ディスク１Ｂかを制御回路部により判断している。このため、情報処理に用いられる情報処理部２４を利用して、所定のタイミングで光ディスク１の有無を検出することにより、例えば複数のスイッチを用いることなく、第１の検出スイッチ４８Ａの１つの構成で径寸法を判断でき、構成の簡略化、軽量小型化および製造性の向上などが容易に得られ、適切な径寸法の判別により適切に光ディスク１を搬送できる。
【００３６】
そして、第１の検出スイッチ４８Ａがリンク機構部３２のガイドアーム４１の所定の移動状態である回動を検出することにより、制御回路部により情報処理部２４により出射光の反射の有無を検出させている。このため、情報処理部２４が待機位置で出射光が出射される場合、大径ディスク１Ａと通常に挿入される小径ディスク１Ｂとで反射状態が異なる、すなわちピックアップレンズ２４Ａに対応する位置を通過するか否かで異なることから、簡単な制御で容易に光ディスク１の径寸法を判別できる。
【００３７】
また、先端側がスロットの近傍に位置し搬送する光ディスク１の搬送経路に対して交差する方向に進退可能に装置本体１０内に配設され、記録媒体の周縁に当接して搬送を案内するガイドアーム４１と、先端側がスロットの近傍で搬送経路を介してガイドアーム４１と反対側に対して搬送経路に対して交差する方向に進退可能に装置本体１０内に配設され、光ディスク１の周縁に当接して光ディスク１をガイドアーム４１とによりスロットからターンテーブル２３に保持させる位置へ送り込むロードアーム４２と、搬送経路に進退可能に装置本体１０内に配設され、スロットから挿入される光ディスク１の周縁に先端側が当接して搬送経路に対して後退し、搬送経路に進出することにより光ディスク１をスロットへ送り出すイジェクトアーム４３とにより、光ディスク１を搬送するリンク機構部３２を構成している。このことにより、光ディスク１の周縁に３点で当接して搬送する特にスリムドライブなどの場合でも、径寸法の異なる光ディスク１の搬送時における搬送状態、具体的にはガイドアーム４１の回動状態を検出することで的確に径寸法を判別することが容易に得られる。
【００３８】
さらに、ガイドアーム４１の移動状態すなわち回動状態に応じてオンオフする第１の検出スイッチ４８Ａによりリンク機構部３２の移動状態を検出する構成としている。このため、情報処理部２４が待機する位置側で搬送時に移動するガイドアーム４１の回動状態を検出するので、簡単な構成で的確に径寸法の判別が容易にできる。
【００３９】
また、第１の検出スイッチ４８Ａとして、大径ディスク１Ａがスロットから挿入された場合にガイドアーム４１が所定角度で回動する場合にオンオフが切り替わり、小径ディスク１Ｂが中心がスロットの略中央である搬送経路の略中央に位置する状態で挿入される場合に回動するガイドアーム４１ではオンオフが切り替わらない位置に配設している。このため、所定の径寸法の光ディスク１の場合で情報処理部２４により出射光の反射状態を検出する構成としているので、情報処理部２４による出射光の反射の有無を検出する処理が最小限となり、処理の高速化や処理負荷の低減による長寿命化が容易に得られる。
【００４０】
さらに、ガイドアーム４１として、情報処理部２４がスロット側の待機位置にある場合に、第１の検出スイッチ４８Ａのオンオフが切り替わる際に、ピックアップレンズ２４Ａにガイドアーム４１が対向しないように、長手方向の中間部が情報処理部２４のピックアップレンズ２４Ａより搬送経路側へ迂回する状態に屈曲成形している。このため、ガイドアーム４１が挿入される光ディスク１により回動されても、この回動により第１の検出スイッチ４８Ａのオンオフが切り替わって出射光の光ディスク１による反射状態の有無を確実に検出でき、誤作動なく適切に径寸法を判別できる。
【００４１】
そして、ターンテーブル２３が装置本体１０の略中央に位置する状態でターンテーブル２３側を駆動部により揺動可能にスロットの一端側近傍を装置本体１０に配設した台座部２１に、情報処理部２４がスロットの一端側近傍とターンテーブル２３との間で移動可能に配設し、光ディスク１の挿入待機状態である初期待機状態で情報処理部２４がスロット側に位置する状態としている。このため、挿入される光ディスク１の径寸法を簡単な制御で的確に判別できるとともに、スリムドライブなどのような薄型の構成でも情報処理部２４が装置本体１０と干渉することなく、ターンテーブル２３が搬送経路から後退して光ディスク１を搬送可能な状態とする構成が容易に得られる。
【００４２】
また、イジェクトアーム４３がスロットから挿入される光ディスク１により所定の移動状態すなわち回動状態となることを検出する第２の検出スイッチ４８Ｂおよび第３の検出スイッチ４８Ｃを配設し、第１の検出スイッチ４８Ａのオンオフによる出射光の反射状態の有無とともに、第２の検出スイッチ４８Ｂおよび第３の検出スイッチ４８Ｃのオンオフに基づいて、光ディスク１の径寸法を判別している。このため、例えば図１１に示すように、小径ディスク１Ｂが通常の挿入状態ではなく、偏って挿入されたとしても、大径ディスク１Ａと認識する誤検出を防止でき、より適切で確実に径寸法の判別ができる。
【００４３】
そして、光ディスク１の情報処理を実施する情報処理部２４における出射光の反射状態の有無を検出する構成に適用している。このため、情報処理のために出射光を出射する制御内容を適用でき、簡単な構成で容易に径寸法の判別ができる。
【００４４】
〔実施形態の変形〕
なお、本発明は、上述した一実施の形態に限定されるものではなく、本発明の目的を達成できる範囲で以下に示される変形をも含むものである。
【００４５】
すなわち、読取処理および記録処理をするディスク装置１００を例示したが、読取処理のみあるいは記録処理のみのディスク装置１００に適用することができる。そして、光ディスク１を例示して説明したが、光ディスクに限らず、磁気ディスクや光磁気ディスクなど、情報処理のために光以外に磁気などを利用する構成でも適用できる。例えば磁気を利用する場合には、磁気の有無を検出するなどにより記録媒体の有無を検出すればよい。さらには、１２ｃｍおよび８ｃｍの２種類の光ディスク１を例示したが、これらの光ディスク１に限らず、他の径の光ディスク１、さらには３種類以上の径の異なるディスク状記録媒体を搬送する構成としてもよい。また、上述したスリムドライブに好適であるが、スリムドライブに限らず、他のいずれのディスク装置にも適用できる。
【００４６】
そして、ガイド部材であるガイドアーム４１、搬入部材であるロードアーム４２、搬出部材であるイジェクトアーム４３としては、上述した回動する構成に限らず、光ディスク１の外周縁に当接して搬送する３点支持の構成であればいずれの形態を採ることができる。さらには、３点支持する構成に限らず、４点支持などの複数点支持、さらにはローラで記録媒体の厚さ方向で挾持する状態に搬送する構成など、いずれの搬送形態のものにも適用できる。
【００４７】
また、第１スイッチ４８Ａ、第２スイッチ４８Ｂ、第３スイッチ４８Ｃにて光ディスク１の径寸法を検出、すなわち３つのスイッチにて大径か小径かを判断する構成を例示したが、径寸法の検出方法としては、３つのスイッチに限らず、例えば３つ以上にてさらに他の径寸法も検出可能とするなどしてもよい。さらに、配設する位置も、ガイドアーム４１の回動状態やイジェクトアーム４３の回動状態を検出する構成に限らず、搬送する構成や形態、さらには搬送する記録媒体の径寸法の種類や大きさに応じて、適宜配設すればよい。逆にガイド検出カム４１２やイジェクト検出カム４３１の形状もこれらの条件に応じて適宜設計すればよい。さらには、検出する構成としては、スイッチ機構の他、光センサや磁気センサなど各種構成が適用できる。
【００４８】
そして、ガイドアーム４１をピックアップレンズ２４Ａを迂回する形状に屈曲して形成して説明したが、出射光の反射状態を検出できるいずれの形状とすることができる。また、出射光の反射状態を検出できるように透光部材にて形成するなどしてもよい。同様に磁気にて検出する場合でも同様で、磁気の検出を阻害しないいずれの形状や材料にて形成すればよい。
【００４９】
その他、本発明の実施の際の具体的な構造は、本発明の目的を達成できる範囲で他の構造などに適宜変更できる。
【００５０】
〔実施の形態の効果〕
上述したように、上記一実施の形態では、スロットから挿入される光ディスク１により移動されるリンク機構部３２の移動状態を第１の検出手段で検出するとともに、情報処理部２４から出力されスロットから挿入される光ディスク１の有無に関する情報、具体的には出射光の反射の有無を検出し、スロットから挿入される光ディスク１の径寸法を判断、例えば大径ディスク１Ａか小径ディスク１Ｂかを制御回路部により判断している。このため、情報処理に用いられる情報処理部２４を利用して、所定のタイミングで光ディスク１の有無を検出することにより、例えば複数のスイッチを用いることなく、第１の検出スイッチ４８Ａの１つの構成で径寸法を判断でき、構成の簡略化、軽量小型化および製造性の向上などが容易に得られ、適切な径寸法の判別により適切に光ディスク１を搬送できる。
【図面の簡単な説明】
【００５１】
【図１】本発明の一実施の形態に係るディスク装置の装置本体内部を示す平面図である。
【図２】前記一実施の形態における大径ディスクの半分程度が挿入された状態におけるディスク装置の装置本体の内部を示す平面図である。
【図３】前記一実施の形態における大径ディスクの送り込みを開始する直前の状態におけるディスク装置の装置本体の内部を示す平面図である。
【図４】前記一実施の形態における大径ディスクをターンテーブルに保持する位置へのディスク搬入完了時におけるディスク装置の装置本体の内部を示す平面図である。
【図５】前記一実施の形態における大径ディスクのクランプ状態時におけるディスク装置の装置本体の内部を示す平面図である。
【図６】前記一実施の形態における大径ディスクが挿入された場合における各検出スイッチのオンオフ状態を示すタイミングチャートである。
【図７】前記一実施の形態における小径ディスクの半分程度が挿入された状態におけるディスク装置の装置本体の内部を示す平面図である。
【図８】前記一実施の形態における小径ディスクの送り込みを開始する直前の状態におけるディスク装置の装置本体の内部を示す平面図である。
【図９】前記一実施の形態における小径ディスクをターンテーブルに保持する位置へのディスク搬入完了時におけるディスク装置の装置本体の内部を示す平面図である。
【図１０】前記一実施の形態における小径ディスクのクランプ状態時におけるディスク装置の装置本体の内部を示す平面図である。
【図１１】前記一実施の形態における小径ディスクが偏って挿入された状態におけるディスク装置の装置本体の内部を示す平面図である。
【図１２】前記一実施の形態における小径ディスクが挿入された場合における各検出スイッチのオンオフ状態を示すタイミングチャートである。
【符号の説明】
【００５２】
１………記録媒体としての光ディスク
１Ａ……記録媒体としての大径ディスク
１Ｂ……記録媒体としての小径ディスク
１００………ディスク装置
１０………装置本体
２１………台座部
２３………ターンテーブル
２４………情報処理部
３０………搬送手段
３２………搬送手段を構成するリンク機構部
４１………ガイド部材としてのガイドアーム
４２………搬入手段としてのロードアーム
４３………搬出手段としてのイジェクトアーム
４８Ａ……検出手段としての検出スイッチである第１の検出スイッチ
４８Ｂ……検知手段としての検出スイッチである第２の検出スイッチ
４８Ｃ……検知手段としての検出スイッチである第３の検出スイッチ
【図１】
2007134007.tif 000003
【図２】
2007134007.tif 000004
【図３】
2007134007.tif 000005
【図４】
2007134007.tif 000006
【図５】
2007134007.tif 000007
【図６】
2007134007.tif 000008
【図７】
2007134007.tif 000009
【図８】
2007134007.tif 000010
【図９】
2007134007.tif 000011
【図１０】
2007134007.tif 000012
【図１１】
2007134007.tif 000013
【図１２】
2007134007.tif 000014